(57)【要約】　【課題】　キーステムをホルダ部により上下に摺動案内する構成を不要として、キーボードの薄型化に対応しつつ、キーストロークを大きく維持することができ、しかも、簡単な構成によりキー入力の操作性が良好で、こじれのない確実なキー入力を可能とするキースイッチ装置を提供すること。　【解決手段】　一対のリンク部材７，８をロッド１２ａ，１２ｂ，２２ａ，２２ｂの部分で組合せ、その組合せ係合部にて互いに作用し合って連動するように構成し、キートップ１押下時には、両リンク部材７，８の係止軸１３ａ，１３ｂ，２３ａ，２３ｂが回動係止部２ａ，２ｂ，３ａ，３ｂ内で回動され、係止ピン１４ａ，１４ｂ，２４ａ，２４ｂが摺動係止部２７ａ，２７ｂ，２８ａ，２８ｂ内にてそれぞれ外側方向に摺動され、キートップ１の下降動作を案内する。よって、キーステムをホルダ部により上下に摺動案内する構成を不要にできるので、キーストロークの大きさを維持しつつキーボードを薄型化できるとともに、キー入力の操作性を良好にし、且つこじれのない確実なキー入力を実現できる。　【選択図】　　　　図２
2004039653.tif 000002
【特許請求の範囲】
【請求項１】
　下面に複数の上部係止部が形成されたキートップと、
　そのキートップの下方に配設されるとともに、複数の下部係止部が形成されたホルダ部材と、
　前記上部係止部及び下部係止部にそれぞれ係止されるとともに、前記キートップの上下動を案内支持する第１のリンク部材及び第２のリンク部材と、
　前記キートップの上下動に伴ってスイッチング動作を行うスイッチング部材とを備えたキースイッチ装置であって、
　前記上部係止部は、前記第１のリンク部材及び第２のリンク部材の上端部を挿入する開放部を有する回動係止部から構成され、かつ前記下部係止部は、両リンク部材の下端部が係止され、水平方向に摺動される摺動係止部から構成されるとともに、第１のリンク部材及び第２のリンク部材は、その組合せ係合部において互いに作用し合って連動し、キートップ押下時には、両リンク部材の下端部が摺動係止部内にてそれぞれ外側方向に摺動することを特徴とするキースイッチ装置。
【発明の詳細な説明】
【技術分野】
【０００１】
　本発明は、キースイッチ装置に係り、特に、ノート型ワードプロセッサやノート型パーソナルコンピュータ等に付設される薄型のキーボードに有効なキースイッチ装置に関するものである。
【背景技術】
【０００２】
　従来、この種のキーボードに使用されるキースイッチ装置としては、キーステムを一体に有するキー部材がホルダープレートに形成されたキーホルダ部に挿通されて支持されるとともに、キーステムの下方にスイッチング部材が配設されたキースイッチ装置が一般に用いられている。このようなキースイッチ装置において、キー部材のキーステムはキーホルダ部を介して上下に摺動案内され、キー部材を押下すると、キー部材が下方へ移動するのに伴って、キーステムの下部によりスイッチング部材が押下され、これによりスイッチング動作が行われる。
【０００３】
　また、スペースキーやリターンキー等の大型のキーを使用するキースイッチ装置としては、キーの押下時にキーが傾いた状態で押下されるのを防止するために、特開昭６０−６２０１７号公報や特開昭６４−７４４１号公報に記載されたキースイッチ装置が知られている。
【０００４】
　前者に記載されたキースイッチ装置では、キー部材の下方に配設され、キー部材を支持する案内部材を２つのはさみ状部材により構成し、個々のはさみ状部材の２つのアームを軸に回転可能に連結させている。そして、キー部材を押下すると、各はさみ状部材の端部に形成された複数個の各ピンがキー部材の裏面とキーボードの基板の上面とで水平方向に摺動するように構成している。これにより、キー部材を押下すると、キー部材は水平状態を保持したまま下方に移動し、これに伴ってキー部材に垂設された押下部がキーホルダ部を介して摺動案内され、その下方に配設されたスイッチング部材を押下し、スイッチング動作が行われる。
【０００５】
　更に、後者に記載されたキースイッチ装置は、前者に記載されたキースイッチ装置と基本的構成を同じくするものであり、はさみ状部材に対するキー部材の着脱を容易にする点に特徴を有するものである。
【０００６】
　これら各公報に記載されたキースイッチ装置は、スペースキー等の大型のキーにおける押下位置とは無関係に、キーのどの部分を押下しても水平状態を保持したままキーの上下動を案内できるものである。このように、前述した従来のキースイッチ装置は、いずれにおいても、スイッチング部材を押下するためのキーステムやキー部材の押下部をキーホルダ部を介して上下に摺動案内しつつ、スイッチング部材を押下させるようにしている点で共通する。
【特許文献１】特開昭６０−６２０１７号公報
【特許文献２】特開昭６４−７４４１号公報
【発明の開示】
【発明が解決しようとする課題】
【０００７】
　しかしながら、近年、ワードプロセッサやパーソナルコンピュータ等における小型化、薄型化に伴い、これらに付設されるキーボードも小型化、薄型化が指向されている。一方、キー入力の操作性を向上させるとともにキー入力の確実性を担うべく大きなキーストロークが要求される状況下において、従来のキースイッチ装置では十分なキーストロークを得ることができないという問題点があった。
【０００８】
　従来のキースイッチ装置において、キーボードの薄型化を実現しようとすれば、キーステムがキーホルダ部により摺動案内される部分が減少し、これに伴って、キーの傾動に起因するキーステムとキーホルダ部との間でのキーのこじれが生じる。これを防止するために、キーステムがキーホルダ部により摺動案内される部分を大きくすると、キーストロークが減少するというジレンマがある。また、キーの押下時にキーステムとキーホルダ部との間で生じるこじれは、摺動ノイズ発生の原因となり、キー入力の操作性を著しく損なう。このキーステムとキーホルダ部間で生じるこじれは、常にキーの中央部を押下している場合には、キーステムが垂直に押下されることとなるので発生し難い。そこで、こじれの発生を防止するために、キーの操作面積を小さくし、常にキーの中央部にて押下されるようにすることも考えられるが、この場合もキー入力の操作性を著しく損なう点では前記のものと変わるところがない。
【０００９】
　本発明は、上述した問題点を解決するためになされたものであり、キーステムをホルダ部により上下に摺動案内する構成を不要として、キーボードの薄型化に対応しつつ、キーストロークを大きく維持することができ、しかも、簡単な構成によりキー入力の操作性が良好で、こじれのない確実なキー入力を可能とするキースイッチ装置を提供することを目的としている。
【課題を解決するための手段】
【００１０】
　上記の目的を達成するために請求項１記載のキースイッチ装置は、下面に複数の上部係止部が形成されたキートップと、そのキートップの下方に配設されるとともに、複数の下部係止部が形成されたホルダ部材と、前記上部係止部および下部係止部にそれぞれ係止されるとともに、キートップの上下動を案内支持する第１のリンク部材及び第２のリンク部材と、キートップの上下動に伴ってスイッチング動作を行うスイッチング部材とを備え、前記上部係止部は、第１のリンク部材及び第２のリンク部材の上端部を挿入する開放部を有する回動係止部から構成され、かつ前記下部係止部は、両リンク部材の下端部が係止され、水平方向に摺動される摺動係止部から構成されるとともに、第１のリンク部材及び第２のリンク部材は、その組合せ係合部において互いに作用し合って連動し、キートップ押下時には、両リンク部材の下端部が摺動係止部内にてそれぞれ外側方向に摺動するものである。
【００１１】
　上記構成を有する請求項１記載のキースイッチ装置によれば、キートップが非押下の状態では、キートップは上方に保持されている。かかる状態からキートップが押下されると、キートップは下降し、このキートップの下降動作に伴って、第１のリンク部材及び第２のリンク部材は、その組合せ係合部において互いに作用し合って連動して動き、両リンク部材の上端部が回動係止部内で回動し、下端部が摺動係止部内にてそれぞれ外側方向に摺動して、キートップの下降動作を案内する。このキートップの下降動作とともに、スイッチング部材が押圧されスイッチング動作が行われる。一方、キートップの押下が解除されると、キートップは、一対のリンク部材に支持されつつ上方へ押し上げられて、元の位置に復帰する。
【発明の効果】
【００１２】
　以上詳述したように、請求項１記載のキースイッチ装置によれば、上部係止部は、第１のリンク部材及び第２のリンク部材の上端部を挿入する開放部を有する回動係止部から構成され、かつ下部係止部は、両リンク部材の下端部が係止され、水平方向に摺動される摺動係止部から構成されるとともに、第１のリンク部材及び第２のリンク部材は、その組合せ係合部において互いに作用し合って連動し、キートップ押下時には、両リンク部材の下端部が摺動係止部内にてそれぞれ外側方向に摺動され、キートップが下方に案内されるため、キーステムをホルダ部により上下に摺動案内する構成を不要にできるので、キーストロークの大きさを維持しつつ、キーボードを薄型化することができるという効果がある。また、キー入力の操作性を良好にすると共に、こじれのない確実なキー入力を可能とすることができるという効果がある。
【発明を実施するための最良の形態】
【００１３】
　以下、本発明を具体化した一実施例を図面を参照して説明する。図１は本実施例によるキースイッチ装置の上面透視図、図２は図１のＸ−Ｘ線断面図、図３は図１のＹ−Ｙ線断面図、図４は押下時のキースイッチ装置の側断面図、図５はキースイッチ装置のリンク部材の斜視図、図６はキースイッチ装置のホルダープレート部分の斜視図である。
【００１４】
　キートップ１はＡＢＳ樹脂等の合成樹脂から成型されており、その上面にはアルファベット等の文字が印刷等により形成されている。このキートップ１の裏面からは、４つの第１係止部２ａ，２ｂ，３ａ，３ｂがキートップ１本体と一体になって垂設されている。第１係止部２ａ，２ｂには、後述する２つのリンク部材７，８のうち、一方のリンク部材７に形成された係止軸１３ａ，１３ｂを回動可能に係止する係止孔４ａ，４ｂが、後述する案内支持部材６の各係止ピン１４ａ，１４ｂ，２４ａ，２４ｂの摺動方向に並設された一対の挟持壁２ａ１，２ａ２，２ｂ１，２ｂ２の間に形成されている。また、第１係止部３ａ，３ｂには、他方のリンク部材８に形成された係止軸２３ａ，２３ｂを回動可能に係止する係止孔５ａ，５ｂが、案内支持部材６の各係止ピン１４ａ，１４ｂ，２４ａ，２４ｂの摺動方向に並設された一対の挟持壁３ａ１，３ａ２，３ｂ１，３ｂ２の間に形成されている。
【００１５】
　キートップ１の下方には、キートップ１の上下動を案内支持する案内支持部材６が配設されている。この案内支持部材６はキー押下時にキートップ１が傾くのを防止する機構を有し、２つのリンク部材７，８から構成されている。
【００１６】
　一方のリンク部材７は、図１に示すように、基部９の両端に２つの基端部１０ａ，１０ｂを一体に形成してなり、基端部１０ａ，１０ｂには各々ロッド１２ａ，１２ｂが延設されており、このロッド１２ａ，１２ｂは後述する他方のリンク部材８に延設されたロッド２２ａ，２２ｂと作用点Ａ、Ｂにて押下し合うように交叉状に構成されている。また、基部９には２つの係止軸１３ａ，１３ｂが形成されており、この係止軸１３ａ，１３ｂは前記の係止孔４ａ，４ｂに回動可能に係止される。更に、基端部１０ａ，１０ｂの両端延部１１ａ，１１ｂの側面からは係止ピン１４ａ，１４ｂが延設されている。この係止ピン１４ａ，１４ｂは後述するホルダープレート２６に形成された第２係止部２８ａ，２８ｂに係止される。
【００１７】
　他方のリンク部材８は、図１に示すように、基部１９の両端に２つの基端部２０ａ，２０ｂを一体に形成してなり、基端部２０ａ，２０ｂには各々ロッド２２ａ，２２ｂが延設されており、このロッド２２ａ，２２ｂは他方のリンク部材７に形成されたロッド１２ａ，１２ｂと作用点Ａ、Ｂにて押下し合うように交叉状に構成されている。また、基部１９には２つの係止軸２３ａ，２３ｂが形成されており、この係止軸２３ａ，２３ｂは前記の係止孔５ａ，５ｂに回動可能に係止される。更に、基端部２０ａ，２０ｂの両端延部２１ａ，２１ｂの側面からは係止ピン２４ａ，２４ｂが延設されている。この係止ピン２４ａ，２４ｂは後述するホルダープレート２６に形成された第２係止部２７ａ，２７ｂに係止される。
【００１８】
　両リンク部材７，８は、図２に示すように、側面視においてＸ字状に交叉して、ロッド１２ａ，１２ｂ，２２ａ，２２ｂの部分で互いに組み合わされており、このロッド１２ａ，１２ｂ，２２ａ，２２ｂの部分を組合せ係合部として、互いに作用し合って連動するように構成されている。また、両リンク部材７，８は、上面視ロ字形状に構成され、これにより中央に大きな空間を有し、この空間に後述するラバースプリング３２とコイルスプリング３３を効率良くキートップ１の下側に収納できるようになっている。
【００１９】
　案内支持部材６の下方には、図６に示されるような開口２５を有したホルダープレート２６が配設されており、このホルダープレート２６には前記リンク部材７，８に設けられた係止ピン１４ａ，１４ｂ，２４ａ，２４ｂを各々係止するための第２係止部２７ａ，２７ｂ，２８ａ，２８ｂが設けられている。各第２係止部２７ａ，２７ｂ，２８ａ，２８ｂは，ホルダープレート２６の内周縁の各角を形成する２辺をもって凸状に一体となって形成され、開口２５中に係止溝２９ａ，２９ｂ，３０ａ，３０ｂを形成している。そして、各々の係止ピン１４ａ，１４ｂ，２４ａ，２４ｂを係止溝２９ａ，２９ｂ，３０ａ，３０ｂ内において水平方向に摺動可能に係止している。
【００２０】
　なお、各第２係止部２７ａ，２７ｂ，２８ａ，２８ｂを形成する２辺のうち、ホルダプレート２６に立設される制限壁２７ａ１，２７ｂ１，２８ａ１，２８ｂ１は、各係止溝２９ａ，２９ｂ，３０ａ，３０ｂにおいてキートップ１の上昇動作時における各係止ピン１４ａ，１４ｂ，２４ａ，２４ｂの摺動方向側の端部に形成されている。この制限壁２７ａ１，２７ｂ１，２８ａ１，２８ｂ１により、案内支持部材６の各係止ピン１４ａ，１４ｂ，２４ａ，２４ｂの摺動量が制限され、キートップ１の上昇位置が規制される。
【００２１】
　ホルダプレート２６の下方には、スイッチ電極を含む所定の回路パターン（図示せず）が形成されたフレキシブル回路基板３１が配設され、スイッチ電極に対応する位置にはスイッチング部材として逆カップ状のラバースプリング３２が載置されている。このラバースプリング３２は内部に可動電極を有しており、上方からの押下量が一定限度を越えると座屈され、可動電極によりスイッチ電極が短絡されるものである。ラバースプリング３２の上面には弾性部材としてコイルスプリング３３が配設され、その上端部はキートップ１の裏面の凹部１ａに取付けられている。この凹部１ａにコイルスプリング３３の上端が係止されるため、コイルスプリング３３の位置がずれることはない。さらに、フレキシブル回路基板３１の下方には、スイッチ支持板３４が配設されている。つまり、スイッチ支持板３４は、フレキシブル回路基板３１、ラバースプリング３２、案内支持部材６およびホルダープレート２６を支持していることになる。
【００２２】
　また、２つの位置決めピン３６ａ，３６ｂが第２係止部２８ａ，２８ｂに近接してホルダープレート２６上に立設され、これらに対応して位置決め溝３５ａ，３５ｂが、キートップ１の上下動にともなって位置決めピン３６ａ，３６ｂを案内するようにキートップ１の裏面から垂設されている。この位置決めピン３６ａ，３６ｂの位置決め溝３５ａ，３５ｂとの係合部は、キートップ１の押下時に、こじれを生じることなくスムーズに位置決め溝３５ａ，３５ｂに沿って案内されるように球状に形成されている。このホルダープレート２６における位置決めピン３６ａ，３６ｂの直下位置には貫通孔２６ａが設けられ、これにより、スライド型を用いることなく、樹脂成形により作成可能となる。
【００２３】
　これら位置決めピン３６ａ，３６ｂと位置決め溝３５ａ，３５ｂとの係合でもって、位置決め部材３７が構成されており、この位置決め部材３７は、キートップ１が水平方向に移動するのを防止する機構を有している。また、キートップ１の傾きを防止する機構は案内支持部材６が有しているため、その機構を持つ必要がないことより、位置決めピン３６ａ，３６ｂと位置決め溝３５ａ，３５ｂとの係合部のオーバラップ量は少なくてよい。このように、案内支持部材６により一方向の位置決めを行い、この位置決めに対して９０度の方向の位置決めを位置決め部材３７により行われているので、キートップ１は、水平方向に移動することなく、また、案内支持部材６のリンク部材７、８が互いに作用点Ａ、Ｂで押下し合って作用することにより、水平状態を保持したまま上下動される。
【００２４】
　前記構成において、図２における作用点Ａ、Ｂを通る垂線Ｌを基準に左側の第１係止部２ａ，２ｂには、係止軸１３ａ，１３ｂを回動可能に係止する係止孔４ａ，４ｂが設けられ、第２係止部２７ａ，２７ｂには、係止ピン２４ａ，２４ｂを水平方向に係止する係止溝２９ａ，２９ｂが設けられている。また、垂線Ｌを基準に図２の右側の第１係止部３ａ，３ｂには、係止軸２３ａ，２３ｂを回動可能に係止する係止孔５ａ，５ｂが設けられ、第２係止部２８ａ，２８ｂには、係止ピン１４ａ，１４ｂを水平方向に係止する係止溝３０ａ，３０ｂが設けられている。
【００２５】
　通常、ワードプロセッサやパーソナルコンピュータにおけるキーボードは、キー入力しやすいように装置手前側が低くなるように斜面をもって形成されるのに対し、各キートップ１の上面は水平に配設される。このため、各キースイッチ装置においては、装置手前側の方が厚みがある、つまり、スイッチ支持板３４からキートップ１までの高さ寸法が長くなる。この高さ寸法が長い所に位置決め部材３７を配設することにより、上述した位置決め溝３５ａ，３５ｂと位置決めピン３６ａ，３６ｂとの係合部のオーバーラップ量が少なくてよいことと相俟って、キーの所定量のストロークを確保しようとしたときの全体の高さ寸法を小さくすることができる。また、本実施例では、キートップ１の周囲の肉厚が上方へ盛り上がって高くなっているので、この部分に位置決め部材３７を設けることで、可能な限り、全体の高さ寸法を小さくしている。図２においては右側が装置手前側となる。
【００２６】
　次に、このように構成されたキースイッチ装置の動作を図２〜図４を参照して説明する。
【００２７】
　図２の状態のキートップ１を押下すると、キートップ１が下方へ移動するのに伴って、リンク部材７の各々の係止軸１３ａ，１３ｂは第１係止部２ａ，２ｂの係止孔４ａ，４ｂ内で反時計方向に回動し、リンク部材８の各々の係止軸２３，２４は第１係止部３ａ，３ｂの係止孔５ａ，５ｂ内で時計方向に回動する。これと同時に、リンク部材７の各々の係止ピン１４ａ，１４ｂは第２係止部２８ａ，２８ｂの係止溝３０ａ，３０ｂ内で水平方向（図２の右方向：外側方向）に摺動し、リンク部材８の各々の係止ピン２４ａ，２４ｂは第２係止部２７ａ，２７ｂの係止溝２９ａ，２９ｂ内で水平方向（図２の左方向：外側方向）に摺動する。
【００２８】
　その結果、リンク部材７のロッド１２ａ，１２ｂとリンク部材８のロッド２２ａ，２２ｂとが互いに作用点Ａ、Ｂにて押下し合い、即ち、組合せ係合部にて、両リンク部材７，８は互いに相手側のリンク部材７，８を押下し合い、これにより、キートップ１は水平状態を保持したまま下方に移動する。このとき、位置決めピン３６ａ，３６ｂは、こじれを生じることなくスムーズに位置決め溝３５ａ，３５ｂに案内され、キートップ１が水平方向に移動することはない。また、キートップ１の下方への移動により、キートップ１の裏面に取付けられたコイルスプリング３３を圧縮し、ラバースプリング３２が除々に押下される。そして、その押下量が一定限度を越えた時点でラバースプリング３２は座屈され、これにより、ラバースプリング３２内の可動電極がフレキシブル回路基板３１上のスイッチ電極を短絡し、所定のスイッチング動作が行われる（図４参照）。
【００２９】
　キートップ１の押下を解除すると、キートップ１はコイルスプリング３３、ラバースプリング３２の弾性復元力により上方に押し上げられる。これに伴って、係止軸１３ａ，１３ｂ，２３ａ，２３ｂおよび係止ピン１４ａ，１４ｂ，２４ａ，２４ｂは前述した動作と逆の動作を行い、その結果、キートップ１は元の位置に復帰される（図２及び図３参照）。
【００３０】
　なお、ラバースプリング３２は前述のように側面視略台形であり、その上底の長さと下底の長さ及び高さに起因する側面の角度は、その所望キータッチに応じて決まる。さらに、この台形部の高さ、即ち、ラバースプリング３２の高さはキーストロークとコイルスプリング３３に応じて決定され、高い方が好まれる。しかし、装置全体の厚さを鑑みれば、このラバースプリング３２はそれほど大きくすることができない。そこで、本実施例にあっては、前述のように両リンク部材７，８を上面視ロ字形状に組付けることにより、その中心に大きな空間を取り得るようにし、この空間にラバースプリング３２とコイルスプリング３３を配設した。これにより、本実施例にあっては、両リンク部部材を側面視略直線状とし、装置中央部に大きな空間を有し得ない特開昭６０−６２０１７号公報あるいは特開昭６４−７４４１号公報記載の装置と比べ、より薄型で大きなストロークを得ることができる。
【００３１】
　以上詳細に説明したように、本実施例によるキースイッチ装置は、２つのリンク部材７，８をキートップ１の下方にロ字形状に構成することにより、その中心に大きな空間を取り、この空間にラバースプリング３２とコイルスプリング３３を配設し、キートップ１を押下することにより、コイルスプリング３３を介してラバースプリング３２が押下されるようにした。これにより、従来のキースイッチ装置のように、キーステムをキーホルダ部により摺動案内する構成やスイッチング部材を押下するための特別な構成を不要とした。これにより、キーボードの薄型化に対応しつつキーストロークを大きくすることができ、よって、キーの操作性が良好で、キー入力を確実に行い得ると共に、簡単な構成により低コストのキースイッチ装置を提供することができる。
【００３２】
　特に、キーステムをキーホルダ部により摺動案内する構成を必要としなくなるので、従来のキースイッチ装置のようにキーの押下時にキーステムとキーホルダ部間で摺動ノイズが生じることもなく、これと共に、キーの中央部を押下させるために、キーの操作面積を小さくする必要性はなくなる。
【００３３】
　また、位置決め機能のある案内支持部材６と位置決め部材３７を設けたことにより、キ−トップ１の押下時にも、案内支持部材６のリンク部材７、８が互いに作用点Ａ、Ｂで押下し合うことにより下方に力が加わるだけで、キートップ１が水平方向に移動することはない。しかも、位置決めピン３６ａ，３６ｂの位置決め溝３５ａ，３５ｂとの係合部を球状に形成したので、位置決めピン３６ａ，３６ｂは、こじれを生じることなくスムーズに位置決め溝３５ａ，３５ｂに沿って摺動案内されることより、摺動ノイズを生じることもない。従って、前記のこととも相俟って、この点からもキー入力の操作性が良好で、キー入力を確実に行い得るキースイッチ装置を提供することができる。
【００３４】
　なお、本発明は上記実施例に限られるものではなく、本発明の要旨を逸脱しない範囲で種々の変形、改良が可能である。例えば、本実施例におけるリンク部材７、８の本数を増やしてＴ字形にし、互いに作用し合うように組み合わせた構成としてもよく、この場合においても上述と同様の効果が得られるとともに、位置決め溝および位置決めピンからなる位置決め部材３７を省略することが可能となる。また、上記実施例にあっては、キートップ１に凹部１ａを設けてコイルスプリング３３を係止したが、キートップ１下面にコイルスプリング３３内径と略同一の半球状凸部を設けて係止してもよい。
【図面の簡単な説明】
【００３５】
【図１】本発明の一実施例によるキースイッチ装置の上面透視図である。
【図２】図１のＸ−Ｘ線断面図である。
【図３】図１のＹ−Ｙ線断面図である。
【図４】本実施例によるキースイッチ装置の押下時の側断面図である。
【図５】本実施例によるキースイッチ装置のリンク部材の斜視図である。
【図６】本実施例によるキースイッチ装置のホルダープレート部分の斜視図である。
【符号の説明】
【００３６】
１　　　　　　　　　　　　　　　キートップ
２ａ，２ｂ，３ａ，３ｂ　　　　　第１係止部（回動係止部）
２ａ１，２ａ２，２ｂ１，２ｂ２　挟持壁
３ａ１，３ａ２，３ｂ１，３ｂ２　挟持壁
４ａ，４ｂ，５ａ，５ｂ　　　　　係止孔
６　　　　　　　　　　　　　　　案内支持部材
７，８　　　　　　　　　　　　　リンク部材
９，１９　　　　　　　　　　　　基部
１０ａ，１０ｂ，２０ａ，２０ｂ　基端部
１２ａ，１２ｂ，２２ａ，２２ｂ　ロッド
１３ａ，１３ｂ，２３ａ，２３ｂ　係止軸
１４ａ，１４ｂ，２４ａ，２４ｂ　係止ピン
２６　　　　　　　　　　　　　　ホルダープレート（ホルダ部材）
２７ａ，２７ｂ，２８ａ，２８ｂ　第２係止部（摺動係止部）
２７ａ１，２７ｂ１，２８ａ１，２８ｂ１　制限壁
２９ａ，２９ｂ，３０ａ，３０ｂ　　　　　係止溝
３１　　　　　　　　　　　フレキシブル回路基板（スイッチング部材の一部）
３２　　　　　　　　　　　ラバースプリング（スイッチング部材の一部）
３３　　　　　　　　　　　コイルスプリング（スイッチング部材の一部）
３５ａ，３５ｂ　　　　　　位置決め溝
３６ａ、３６ｂ　　　　　　位置決めピン
３７　　　　　　　　　　　位置決め部材
【図１】
2004039653.tif 000003
【図２】
2004039653.tif 000004
【図３】
2004039653.tif 000005
【図４】
2004039653.tif 000006
【図５】
2004039653.tif 000007
【図６】
2004039653.tif 000008